(57)【要約】【課題】発光素子を用いた巻き取り可能なシート状の映像表示装置は、柔軟性が高いため、コンパクトな収納や持ち運びが困難であり、設置時には風等の影響により画像表示部が揺れ、映像を見難く、また、表示装置の設置自体が困難であるという課題があった。【解決手段】本発明の表示装置は、発光素子を用いた巻き取り可能なシート状の表示部と、表示部の一方側の端部にあって表示部を巻き取り可能な巻き取り部と、巻き取り部とは反対側の表示部の端部にあって表示部を引き出す引き出し部とを備える構成とした。また、表示部の背面に表示部を保持する保持部や、巻き取り部または引き出し部の端部に少なくとも一つの屈曲可能な屈曲部、引き出し部に外部固定具に固定可能なフック部、スピーカーからの振動を遮断する防振部、外部機器と接続するための配線および接続部、表示部に表示される画像の上下左右方向を制御する画像制御装置を備える構成とした。【選択図】図１
2005249828.tif 000002
【特許請求の範囲】
【請求項１】
発光素子を用いた巻き取り可能なシート状の表示部と、表示部の一方側の端部にあって表示部を巻き取り可能な巻き取り部と、巻き取り部とは反対側の表示部の端部にあって表示部を引き出す引き出し部とを備えた表示装置。
【請求項２】
発光素子を用いた巻き取り可能なシート状の表示部と、表示部の一方側の端部にあって表示部を巻き取り可能な巻き取り部と、巻き取り部とは反対側の表示部の端部にあって表示部を引き出す引き出し部と、表示部の背面にあって表示部を保持する保持部とを備えた表示装置。
【請求項３】
保持部が表示部の巻き取りに伴って巻き取られた表示部の背面に収納され、表示部の引き出しに伴って引き出された表示部の背面に展開するリンク機構である請求項２に記載の表示装置。
【請求項４】
リンク機構が二本の交差するレールからなる１組のレールで構成されており、巻き取り部および引き出し部は、レールの一方側端部を回動自在に軸支する第一のレール支持部と、レールの反対側端部を回動自在に、かつ、スライド可能に支持する第二のレール支持部とを備えている請求項３に記載の表示装置。
【請求項５】
リンク機構が２組以上のレールで構成されており、それぞれの組を構成するレールどうしが端部で接続されており、巻き取り部および引き出し部は、レールの一方側端部を回動自在に軸支する第一のレール支持部と、レールの反対側端部を回動自在に、かつ、スライド可能に支持する第二のレール支持部とを備えている請求項３記載の表示装置。
【請求項６】
巻き取り部および引き出し部が備える第二のレール支持部の少なくとも一方が、弾性手段により巻取り部または引き出し部の端部方向に付勢されている請求項４または５に記載の表示装置。
【請求項７】
保持部を展開状態にロックするロック部を備えた請求項２から６に記載の表示装置。
【請求項８】
表示部背面に設けた第一の接合部と、保持部のうち第一の接合部に対応する位置に設けた第二の接合部が接合する請求項２から７に記載の表示装置。
【請求項９】
第一の接合部および第二の接合部が磁力によって接合する請求項８に記載の表示装置。
【請求項１０】
巻き取り部または引き出し部の端部に、少なくとも一つの屈曲可能な屈曲部を備えている請求項１から９に記載の表示装置。
【請求項１１】
引き出し部に、外部固定具に固定可能なフック部を備えた請求項１から１０に記載の表示装置。
【請求項１２】
スピーカーと、スピーカーと表示装置との間にスピーカーからの振動を遮断する防振部とを設けた請求項１から１１に記載の表示装置。
【請求項１３】
表示装置に、外部機器と接続するための配線および接続部を備えた請求項１から１２に記載の表示装置。
【請求項１４】
外部機器と接続するための配線および接続部を巻き取り部に備えた請求項１３に記載の表示装置。
【請求項１５】
外部機器と接続するための配線を引き出し部および保持部に備え、接続部をフック部に備えた請求項１３に記載の表示装置。
【請求項１６】
表示部の背面に、磁力による影響を遮断する磁気シールド手段を備えた請求項１から１５に記載の表示装置。
【請求項１７】
巻き取り部、引き出し部、保持部のいずれかに、磁力による影響を遮断する磁気シールド手段を備えた請求項１４または１５に記載の表示装置。
【請求項１８】
表示部の背面に、電磁波による影響を遮断する電磁波シールド手段を備えた請求項１から１６に記載の表示装置。
【請求項１９】
巻き取り部、引き出し部、保持部のいずれかに、電磁波による影響を遮断する電磁波シールド手段を備えた請求項１４または１５に記載の表示装置。
【請求項２０】
表示部が巻き取り部より上方向または下方向に引き出される請求項１から１９に記載の表示装置。
【請求項２１】
表示部が巻き取り部から左方向または右方向に引き出される請求項１から１９に記載の表示装置。
【請求項２２】
表示装置に映像の上下左右方向を制御する方向制御部を備えた請求項１から２１に記載の映像表示装置。
【請求項２３】
方向制御部が上下左右方向入力部からの上下左右方向情報に従って映像の上下左右方向を制御する請求項２２に記載の表示装置。
【請求項２４】
方向制御部が上下左右方向検知部からの上下左右方向情報に従って映像の上下左右方向を制御する請求項２２に記載の表示装置。
【請求項２５】
表示部に用いる発光素子がＥＬ素子である請求項１から２４に記載の表示装置。
【発明の詳細な説明】
【技術分野】
【０００１】
本発明は表示装置に関するものであり、特に巻き取り可能なシート状の表示部を備えた表示装置に関するものである。
【背景技術】
【０００２】
従来から、薄型でかつ大型の映像表示装置として有機ＥＬ素子を利用した映像表示装置が提案されてきた。
【０００３】
有機ＥＬ素子は自発光で視認性に優れ、高速応答である上に軽量化・薄型化が図れ、数ボルト以下での低電圧の駆動が可能という特徴を有している。さらに、有機ＥＬ素子を用いた表示装置では、表示機能層ならびに表示機能層を機能させるための電気機能部品を含む層が薄い層で構成されているため、柔軟性が高い構造となっている。有機ＥＬ素子を用いた表示装置は、電源、駆動装置、制御装置等の周辺回路やスピーカー等の音響装置は別個の装置として設けられ、表示装置とこれらの装置は電線やフレキシブル回路基板などを使用して接続される構成となっている（例えば、特許文献１を参照）。
【０００４】
有機ＥＬ素子を用いた表示装置としては、その柔軟性に富む性質を利用して、スクリーン状に構成した表示部を巻き取り収納可能に構成したものが提案されている（例えば、特許文献２を参照）。
【０００５】
さらに、有機ＥＬ素子を用いた表示装置に関するものではないが、屈曲可能な液晶ディスプレイをディスプレイ収納部に収納可能に構成するとともに、屈曲可能な液晶ディスプレイを引き出した際に、２本のディスプレイ固定フレーム（ディスプレイ支持手段）でディスプレイを支持するものも提案されている（例えば、特許文献３を参照）。
【特許文献１】特開２００２−１６２６５２号公報
【特許文献２】特開２００２−３２８６２５号公報
【特許文献３】特開平７−２８３９５号公報
【発明の開示】
【発明が解決しようとする課題】
【０００６】
従来から、有機ＥＬ素子を用いたシート状の映像表示装置は、大きいが軽く、また、柔軟性が高いという特徴のため、変形しやすく、また、コンパクトな収納や持ち運びが困難であるという課題を有していた。
【０００７】
また、有機ＥＬを用いたシート状の映像表示装置は、設置した場合に、エアコン等の風やスピーカー等振動を伴う音響装置の影響により映像表示部が揺れるため、映像を見難いという課題もあった。さらに、柔軟性が高いという有機ＥＬ素子を用いたシート状の映像表示装置の性質のため、表示装置の設置自体が困難であるという課題もあった。特に、表示装置を左右方向に設置する場合に表示部がたるみやすい。
【０００８】
前述の従来例においても、屈曲可能な液晶ディスプレイの両端を固定するディスプレイ固定フレームを備えた構造のものが提案されているが、有機ＥＬ素子を用いたシート状の映像表示装置のように軽く、かつ、柔軟性に富む映像表示装置では、ディスプレイ両端にディスプレイ固定フレームを伸張させるのみでは上記課題を解決するには不十分である。すなわち、ディスプレイ両端にディスプレイ固定フレームを備えるのみでは、表示部のうち、特にディスプレイ固定フレームでサポートされていない中央部分の振動を軽減することが困難である。
【０００９】
本発明は、有機ＥＬ素子を用いたシート状の映像表示装置のコンパクトな収納を可能とし、持ち運びの困難性を解消すること、また、風等による振動を軽減するとともに、表示装置の設置時のたるみを防止することを目的としたものである。本発明により、有機ＥＬ素子を用いたシート状の映像表示装置が抱える上記課題を解決し、使用者に持ち運びや収納に都合がよく、かつ、設置しやすい映像表示装置を提供することができる。
【課題を解決するための手段】
【００１０】
上記課題を解決するために、本発明の表示装置は、発光素子を用いた巻き取り可能なシート状の表示部と、表示部の一方側の端部にあって表示部を巻き取り可能な巻き取り部と、巻き取り部とは反対側の表示部の端部にあって表示部を引き出す引き出し部とを備える構成とした。
【００１１】
また、表示部の背面に表示部を保持する保持部や、巻き取り部または引き出し部の端部に少なくとも一つの屈曲可能な屈曲部、引き出し部に外部固定具に固定可能なフック部、スピーカーからの振動を遮断する防振部を備える構成とした。
【００１２】
さらに、外部機器と接続するための配線および接続部を設けたり、磁力や電磁波による影響を遮断する磁気シールド手段や電磁波シールド手段、映像の上下左右方向を制御する方向制御部を設ける構成とした。
【発明の効果】
【００１３】
本発明によれば、有機ＥＬ素子を用いたシート状の表示装置のコンパクトな収納を可能とし、持ち運びの困難性を解消することが可能となる。また、風等による振動を軽減するとともに表示装置の設置時のたわみを防止し、また、表示部に表示される映像の上下左右方向を制御することで、上下左右いずれの方向であっても容易に設置できる表示装置を提供することができる。
【発明を実施するための最良の形態】
【００１４】
以下、図を用いて本発明の実施の形態を説明する。
【００１５】
（実施の形態１）
図１、図２は本発明の実施の形態１における表示装置１の構成図であり、図１は有機ＥＬ素子を用いた巻き取り可能なシート状の表示部２が円筒状の巻き取り部３から引き出されている状態を示したもの、図２は表示部２が巻き取り部３内に収納された状態を示したものである。
【００１６】
図２において、表示装置１の使用者は、巻き取り部３内に収納された表示部２の下端に備わった棒状の引き出し部４を下方向に引っ張ることで、図１に示すように表示部２を展開する。反対に、図１において、使用者は引き出し部４を上方向に押し上げることで、図２に示すように表示部２を巻き取り部３の内部に収納する。
【００１７】
このように、表示部２が巻き取り部３の内部に完全に収納される構成とすることで、大画面の映像表示装置であってもコンパクトに収納でき、持ち運びも容易になる。また、表示部２が外部に露出しないので表示部２が汚れたり、変色したりすることも回避できる。
【００１８】
本実施の形態１では、表示部２が巻き取り部３の内部に巻き取り収納される例のみを挙げているが、巻き取り部３の構造については特に限定されるものではなく、巻き取り部３の軸に巻き付いて表示部２が巻き取り部３に巻き取られるのであればどのような手段であってもよい。例えば、ばねやゴム等の弾性手段によって表示部２を巻き取り方向に付勢し、引き出し部４を外部の固定部にフック等により接続固定する構造とすることも可能である。これにより、フック等を外部の固定部からリリースすることで自動的に表示部２を巻き取り部３の内部に巻き取り収納させることが可能になる。また、表示部２が巻き取り部３の外周に巻き取られる構造とすることもできる。
【００１９】
さらに、巻き取り部３の内部に表示部２が巻き取り収納される場合、巻き取り部３の表示部２を巻き取る巻き取り口に埃よけのはけを設けてもよい。これにより、巻き取り部３に表示部２を巻き取る際や巻き取り部３から表示部２を引き出す際に、表示部２の表面を掃除することができ、常に表示部２の表面をきれいな状態に保つことができる。また、巻き取り部３の巻き取り口には、さらに、中央部に切り込みを有するゴム製の蓋を設けてもよい。この場合、巻き取り部３の巻き取り口に設けたゴム製の蓋が有するスリットから表示部２を引き出すことになる。これにより、巻き取り収納時に埃が巻き取り部３の内部に侵入しないようにすることができる。なお、巻き取り部３に設けた埃よけのはけの素材は特に限定されるものではない。例えば、導電性の素材を用いることで、表示部２を巻き取り部３に巻き取る際や巻き取り部３から表示部２を引き出す際のはけと表示部２の接触、摩擦により静電気が発生し、表示部２の表面に付着した埃をはけに吸い付けることが可能になる。また、巻き取り部３に設けたゴム製の蓋も、他の素材での代用が可能である。
【００２０】
なお、本実施の形態１では巻き取り部３が円筒状であり、引き出し部４が棒状である例を挙げているが、これらは巻き取り部３や引出し部４としての機能を果たし得る形状であれば円筒状や棒状に限定されるものではない。例えば、巻き取り部３が角状であったり、引き出し部４が表示部２の下端中央にのみ存在するものであってもよい。
【００２１】
また、引き出し部４も、表示部２と同様に、巻き取り部３の内部に格納される構成とすることも可能である。これにより、表示装置をよりコンパクトに収納することが可能となる。
【００２２】
さらに、本実施の形態１では、表示装置１が表示部２に有機ＥＬ素子を用いている有機ＥＬディスプレイである場合を例示しているが、これに限定されるものではなく、無機ＥＬディスプレイ等、発光素子を利用した表示装置であって、シート状にかつ巻き取り可能に構成可能であればどのような表示装置であってもよい。
【００２３】
（実施の形態２）
図３、図４は本発明の実施の形態２における表示装置１０の構成を示した背面図である。図３は表示装置１０が備える有機ＥＬ素子を用いた巻き取り可能なシート状の表示部２が展開された状態を示したものであり、図４は表示部２が円筒状の巻き取り部３に収納された状態を示している。
【００２４】
図３において、表示部２の背面には第一のレール１１、第二のレール１２からなる一組のリンク機構が備わっており、第一のレール１１と第二のレール１２は、レール交差部１３において回動自在に支持されている。巻き取り部３および円筒状の引き出し部４には、第一のレール１１と第二のレール１２の一方側端部を回動自在に軸支する第一のレール支持部１４と、第一のレール１１と第二のレール１２の反対側端部を回動自在に、かつ、スライド可能に支持する第二のレール支持部１５が備わっている。第二のレール支持部１５は巻き取り部３および引き出し部４の一方側端部に設置されたばね１６により巻き取り部３および引き出し部４の一方側端部方向に付勢されており、第二のレール支持部１５が第一のレール支持部１４の方向にスライド移動するとき、すなわち、表示部２が巻き取り部３から引き出されたとき、ばね１６はその付勢に反して伸張する。
【００２５】
このとき、使用者はストッパー部１７をスイッチ部１８に係止させることで、第二のレール支持部１５を固定し、表示部２の展開状態を維持することができる。一方、表示装置１０を収納する場合、使用者はスイッチ部１８を操作し、ストッパー部１７の係止を解除することで、ばねの付勢により第二のレール支持部１５は巻き取り部３および引き出し部４の一方側端部方向にスライド移動し、これに伴い第一のレール１１、第二のレール１２からなる一組のリンク機構がレール交差部１３を中心として左右方向に広がるように折畳まれ、表示部２が巻き取り部３の内部に巻き取り収納される。
【００２６】
巻き取り部３および引き出し部４は中空の円筒状となっており、表示部２および第一のレール１１、第二のレール１２からなるリンク機構が内部に収納できるように構成されている。従って、表示部２を巻き取り収納した場合、図４に示す通り、表示部２および第一のレール１１、第二のレール１２からなるリンク機構が巻き取り部３および引き出し部４の内部に完全に格納され、表示部２および第一のレール１１、第二のレール１２からなるリンク機構が外部に露出しないように収納することができる。
【００２７】
このように、表示部２が巻き取り部３の内部に完全に収納される構成とすることで、大画面の映像表示装置であってもコンパクトに収納でき、持ち運びも容易になる。また、表示部２が外部に露出しないので表示部２が汚れたり、変色したりすることも回避できる。
【００２８】
さらに、シート状の表示部２を巻き取り部３から引き出した際には第一のレール１１、第二のレール１２からなるリンク機構が表示部の背面に展開するため、表示部２がエアコンや自然風によって揺れたり、スピーカー等の振動を伴う音響装置の影響で振動することを防止することが可能となる。特に、表示部２の前面から来る風の影響を防止する効果が高い。これにより、使用者は風等の影響を気にすることなく表示装置１を容易に設置できる。
【００２９】
なお、本実施の形態２では、ばね１６、ストッパー部１７、スイッチ部１８を構成要素としている例を挙げたが、これらは必須ではなく、ばね１６、ストッパー部１７、スイッチ部１８がない場合であっても本発明の効果を得ることは可能である。
【００３０】
また、本実施の形態２では、表示部２の背面に第一のレール１１、第二のレール１２からなる一組のリンク機構が備わっている場合を例示したが、図５に示す通り、２組以上のレールからなるリンク機構が備わっていてもよい。この場合、表示部２の背面により多くのレールが展開することになり、風等による揺れ、振動を防止する効果がより高くなる。
【００３１】
さらに、リンク機構を構成する第一のレール１１、第二のレール１２は、図６に示す通り、第一のレール支持部１４によって端部を巻き取り部３および引き出し部４に回動自在に軸支され、第一のレール１１と第二のレール１２どうしも端部をレール交差部１３において回動自在に軸支される構成であってもよい。この場合、第一のレール１１と第二のレール１２が一定の角度以上に広がらないように、巻き取り部３、引き出し部４、第一のレール１１、第二のレール１２にストッパー部１９が設けられる。図６においては、リンク機構を構成するレールが６本である例を挙げたが、レールの本数に特に限定はなく、複数本のレールからなるものであれば何本でもよい。この場合も表示部２の背面により多くのレールが展開することになって、風等による揺れ、振動を防止する効果がより高くなる。なお、この場合のストッパー部１９の構成は特に限定されるものではなく、レール交差部１３の内部軸にストッパー部１９が設けられていてもよい。
【００３２】
さらに、表示部２の背面に、図７に示すように、表示部２を展開させた際に表示部２の両端を固定する固定レール２０を設ける構造としてもよい。固定レール２０は、表示部２の収納時には巻き取り部３に収納されており、表示部２の展開時には回転部２１を支点として表示部２の両端に展開される。固定レール２０は展開時、引き出し部４に設けた係止部２２によりその端部を巻き取り部３または引き出し部４に固定される。これにより、表示部２は背面をリンク機構のみならず、固定レールによっても支持されることになり、風等による揺れ、振動を防止する効果がより高くなる。この場合、固定レール２０は引き出し部４に備わっていてもよいし、巻き取り部３、引き出し部４の双方に備わっていてもよい。固定レール２０が引き出し部４に備わっている場合、係止部２２は巻き取り部３に備わっていてもよい。また、固定レール２０は１本であってもよい。
【００３３】
また、図８に示す通り、表示部２の背面に展開する一組のリンク機構は、表示部の展開に伴って第一のレール１１と第二のレール１２が伸張する構成となっていてもよい。伸縮可能に構成された第一のレール１１と第二のレール１２は、表示部２の展開に伴って伸張し、巻き取り部３と引き出し部４に設けた係止部２３に端部を係止できるように構成されている。これにより、第一のレール１１と第二のレール１２が背面からサポートできる表示部２の面積がより大きいものとなり、風等による揺れ、振動を防止する効果がより高くなる。なお、図８において、第一のレール１１と第二のレール１２は２段階に伸縮可能な場合を挙げたが、３段階以上の多段階に伸縮可能な構成であってもよい。
【００３４】
また、表示部２の背面に設けられたリンク機構は、第一のレール支持部１４と第二のレール支持部１５を介して巻き取り部３および引き出し部４に着脱可能に構成されていてもよい。この場合、リンク機構は巻き取り部３および引き出し部４から取り外して別途折畳み収納することができ、コンパクトな収納と持ち運びの便を図ることが可能となる。
【００３５】
本実施の形態２では、表示部２が巻き取り部３の内部に巻き取り収納される例のみを挙げているが、巻き取り部３の構造については特に限定されるものではなく、巻き取り部３の軸に巻き付いて表示部２が巻き取り部３に巻き取られるのであればどのような手段であってもよい点は実施の形態１の場合と同様である。
【００３６】
さらに、本実施の形態２では巻き取り部３および引き出し部４が円筒状である例を挙げているが、これらは巻き取り部３や引出し部４としての機能を果たし得る形状であれば円筒状に限定されるものではなく、巻き取り部３が角状であったり、引き出し部４が表示部２の下端中央にのみ存在するものであってもよい。
【００３７】
また、引き出し部４も、表示部２と同様に、巻き取り部３の内部に格納される構成とすることも可能である。これにより、表示装置をよりコンパクトに収納することが可能となる。
【００３８】
さらに、巻き取り部３の内部に表示部２が巻き取り収納される場合、巻き取り部３の表示部２を巻き取る巻き取り口に埃よけのはけを設けてもよいし、中央部に切り込みを有するゴム製の蓋を設けてもよい点は実施の形態１の場合と同様である。
【００３９】
さらに、スイッチ部１８は、巻き取り部３および引き出し部４の任意の位置に固定できる構成としてもよい。これにより、第二のレール支持部１５が固定される位置を使用者が任意に決定できることになり、表示装置１０を使用する場所に応じて表示部２の展開具合を自由に調整することが可能になる。
【００４０】
また、本実施の形態２では、表示装置１が表示部２に有機ＥＬ素子を用いている有機ＥＬディスプレイである場合を例示しているが、これに限定されるものではない点も実施の形態１の場合と同様である。
【００４１】
（実施の形態３）
図９は本発明の実施の形態３における表示装置３０の構成を示した背面図であり、有機ＥＬ素子を用いた巻き取り可能なシート状の表示部２が円筒状の巻き取り部３から引き出された状態を示したものである。表示部２の背面には表示部２とともに巻き取り可能なシート状の第一の磁石３１が貼り付けられており、また、表示部２の背面に備わった第一のレール１１、第二のレール１２からなる一組のリンク機構のうち、第一の磁石３１に対応する位置には第二の磁石３２が貼り付けられている。図９に示す通り、表示部２が巻き取り部３から完全に引き出された状態のとき、第一の磁石３１と第二の磁石３２が磁力により接合する。
【００４２】
表示部２を巻き取り部３内に収納する場合、使用者は第一の磁石３１と第二の磁石３２の接合を解除するとともに、スイッチ部１８を操作し、ストッパー部１７の係止を解除する。すると、ばねの付勢により第二のレール支持部１５は巻き取り部３および引き出し部４の一方側端部方向にスライド移動し、これに伴い第一のレール１１、第二のレール１２からなる一組のリンク機構がレール交差部１３を中心として左右方向に広がるように折畳まれ、表示部２が巻き取り部３の内部に巻き取り収納される。その他の構成要素および動作は実施の形態２において説明したのと同様であるため説明を省略する。
【００４３】
このように、表示部２が巻き取り部３の内部に完全に収納される構成とすることで、大画面の映像表示装置であってもコンパクトに収納でき、持ち運びも容易になる。また、表示部２が外部に露出しないので表示部２が汚れたり、変色したりすることも回避できる。
【００４４】
さらに、表示部２は、その展開時、背面を第一のレール１１、第二のレール１２に固定されることになり、表示部２がエアコンや自然風によって揺れたり、スピーカー等の振動を伴う音響装置の影響で振動することを防止することが可能となる。特に、表示部２の背面から来る風の影響をも防止することができ、使用者は風等の影響を気にすることなく表示装置３０を容易に設置できる。
【００４５】
なお、本実施の形態３では、表示部２と第一のレール１１、第二のレール１２の接合のために、第一の磁石３１、第二の磁石３２を用いたが、いずれか一方のみが磁石であって、他方が強磁性体であれば、同様の効果を得ることが可能である。また、いずれか一方が電磁石であってもよい。これらの場合、磁力を調整することで、表示部２と第一のレール１１、第二のレール１２の接合の強さや解除のしやすさを任意に調整することが可能となる。
【００４６】
また、表示部２と第一のレール１１、第二のレール１２の接合には磁石以外の部品を用いることも可能である。例えば、フックと係止片、面ファスナー、スナップボタンなどでもよい。
【００４７】
なお、本実施の形態３では、ばね１６、ストッパー部１７、スイッチ部１８を構成要素としている例を挙げたが、これらが必須ではない点は実施の形態２の場合と同様である。
【００４８】
また、表示部２の背面に設けられたリンク機構は、第一のレール支持部１４と第二のレール支持部１５を介して巻き取り部３および引き出し部４に着脱可能に構成されていてもよいし、２組以上のレールからなるリンク機構になっていてもよい。さらに、リンク機構を構成する第一のレール１１、第二のレール１２は、第一のレール支持部１４によって端部を巻き取り部３および引き出し部４に回動自在に軸支され、第一のレール１１と第二のレール１２どうしも端部をレール交差部１３において回動自在に軸支される構成であってもよいし、表示部２を展開させた際に表示部２の両端を固定する固定レール２０を設ける構造であってもよい。また、表示部の展開に伴って第一のレール１１と第二のレール１２が伸張する構成となっていてもよい。これらの考え得る構成は実施の形態２の場合と同様である。
【００４９】
本実施の形態３では、表示部２が巻き取り部３の内部に巻き取り収納される例のみを挙げているが、巻き取り部３の構造については特に限定されるものではなく、巻き取り部３の軸に巻き付いて表示部２が巻き取り部３に巻き取られるのであればどのような手段であってもよい点は実施の形態２の場合と同様である。
【００５０】
さらに、巻き取り部３の内部に表示部２が巻き取り収納される場合、巻き取り部３の表示部２を巻き取る巻き取り口に埃よけのはけを設けてもよいし、中央部に切り込みを有するゴム製の蓋を設けてもよい点は実施の形態１の場合と同様である。
【００５１】
さらに、本実施の形態３では巻き取り部３および引き出し部４が円筒状である例を挙げているが、これらは巻き取り部３や引出し部４としての機能を果たし得る形状であれば円筒状に限定されるものではなく、巻き取り部３が角状であったり、引き出し部４が表示部２の下端中央にのみ存在するものであってもよい。
【００５２】
また、引き出し部４も、表示部２と同様に、巻き取り部３の内部に格納される構成とすることも可能であるし、スイッチ部１８は、巻き取り部３および引き出し部４の任意の位置に固定できる構成としてもよい。
【００５３】
また、本実施の形態３では、表示装置３０が表示部２に有機ＥＬ素子を用いている有機ＥＬディスプレイである場合を例示しているが、これに限定されるものではない点も実施の形態２の場合と同様である。
【００５４】
（実施の形態４）
図１０は本発明の実施の形態４における表示装置４０の構成を示した背面図であり、有機ＥＬ素子を用いた巻き取り可能なシート状の表示部２が円筒状の巻き取り部３の外周から引き出された状態を示したものである。本実施の形態４においては、表示部２は巻き取り部３の外周に巻き取られて収納される。表示装置４０の使用者は、引き出し部４を下方向に引き下ろすことで表示部２を巻き取り部３から引き出し、所望の範囲にまで表示部２を引き出し終えると、巻き取り部３および引き出し部４の両端に備えた折り曲げ可能な屈曲部４１を表示部２の後方に折り曲げる。これにより、巻き取り部３に取り付けられた表示部２の両端も屈曲部４１に伴って後方に折り曲げられる。
【００５５】
このように、表示部２の両端を折り曲げ可能に構成することで、表示部２を巻き取り、コンパクトに収納できる構成でありながら、表示部２を展開しても風や振動に対して強い表示装置４０を提供することができる。これにより、使用者は設置場所を選ばずに容易に表示部４０を設置できる
本実施の形態４においては、巻き取り部３および引き出し部４の両端に屈曲部４１が備わっている例を挙げたが、屈曲部４１は巻き取り部３の一方側端部にのみ備わっていてもよいし、引き出し部４の一方側端部にのみ備わっていてもよい。この場合、屈曲部４１に伴って表示部２の後方に折り曲げられた部分は、映像を表示しても表示装置４０の前面からは見えないので、この部分は有機ＥＬディスプレイである必要はない。
【００５６】
なお、本実施の形態４においても、実施の形態２で説明したものと同様に、表示部２の背面に第一のレール１１、第二のレール１２からなる一組のリンク機構やばね１６、ストッパー部１７、スイッチ部１８、ストッパー部１９を備えたものであってもよい。また、実施の形態３で説明したものと同様に、第一の磁石２１、第二の磁石２２を備えたものであってもよい。
【００５７】
また、表示部２の背面に設けられたリンク機構は、第一のレール支持部１４と第二のレール支持部１５を介して巻き取り部３および引き出し部４に着脱可能に構成されていてもよいし、２組以上のレールからなるリンク機構になっていてもよい。さらに、リンク機構を構成する第一のレール１１、第二のレール１２は、第一のレール支持部１４によって端部を巻き取り部３および引き出し部４に回動自在に軸支され、第一のレール１１と第二のレール１２どうしも端部をレール交差部１３において回動自在に軸支される構成であってもよいし、表示部２を展開させた際に表示部２の両端を固定する固定レール２０を設ける構造であってもよい。また、表示部の展開に伴って第一のレール１１と第二のレール１２が伸張する構成となっていてもよい。これらの考え得る構成は実施の形態２の場合と同様である。
【００５８】
また、第一の磁石２１、第二の磁石２２の替わりに、いずれか一方のみが磁石、もう一方が強磁性体とすることも可能である。さらに、いずれか一方が電磁石であってもよいし、磁石以外の部品を用いてもよい点は実施の形態３の場合と同様である。
【００５９】
さらに、本実施の形態４では、表示部２が巻き取り部３の外周に巻き取り収納される例のみを挙げているが、巻き取り部の構造については特に限定されるものではなく、巻き取り部３の内部軸に巻き付いて表示部２が巻き取り部３の内部に巻き取られるものであってもよい。
【００６０】
さらに、巻き取り部３の内部に表示部２が巻き取り収納される場合、巻き取り部３の表示部２を巻き取る巻き取り口に埃よけのはけを設けてもよいし、中央部に切り込みを有するゴム製の蓋を設けてもよい点は実施の形態１の場合と同様である。
【００６１】
また、本実施の形態４では巻き取り部３および引き出し部４が円筒状である例を挙げているが、これらは巻き取り部３や引出し部４としての機能を果たし得る形状であれば円筒状に限定されるものではなく、巻き取り部３が角状であったり、引き出し部４が表示部２の下端中央にのみ存在するものであってもよい。
【００６２】
また、屈曲部４１の構造については、巻き取り部３や引出し部４の端部をアーム状に屈曲可能な構成であればどのような構造であってもよい。
【００６３】
また、引き出し部４も、表示部２と同様に、巻き取り部３の内部に格納される構成とすることも可能であるし、スイッチ部１８は、巻き取り部３および引き出し部４の任意の位置に固定できる構成としてもよい。
【００６４】
また、本実施の形態４では、表示装置１が表示部２に有機ＥＬ素子を用いている有機ＥＬディスプレイである場合を例示しているが、これに限定されるものではない。
【００６５】
（実施の形態５）
図１１は本発明の実施の形態５における表示装置５０を示した構成図であり、有機ＥＬ素子を用いた巻き取り可能なシート状の表示部２が円筒状の巻き取り部３の内部から引き出された状態を示したものである。図１１において、表示部２が所望の範囲まで巻き取り部３から引き出されると、使用者は引き出し部４に固定されたフック部５１を外部の固定物に取り付けられた係止片５２に係止させることで表示部２を展開状態に保持することが可能となる。
【００６６】
このように、フック部５１、係止片５２により引き出し部４を固定できる構成することで、表示部２を巻き取り、コンパクトに収納できる構成でありながら、表示部２を展開しても風や振動に対して強い表示装置５０を提供することができる。これにより、使用者は設置場所を選ばずに容易に表示部５０を設置できる。
【００６７】
この場合、フック部５１、係止片５２は引き出し部４に複数備わっていてもよい。フック部５１と係止片５２を複数設けることで風等の影響を防止する効果をさらに向上させることが可能となる。
【００６８】
また、本実施の形態５ではフック部５１、係止片５２を用いて表示部２および引き出し部４を外部の固定物に固定したが、他にも、磁石、電磁石、面ファスナー、スナップボタン等により固定することも可能であるし、フック部５１と係止片５２の形状も特に限定されるものではなく、外部固定物に固定し得るものであれば何でもよい。
【００６９】
なお、本実施の形態５においても、実施の形態２で説明したものと同様に、表示部２の背面に第一のレール１１、第二のレール１２からなる一組のリンク機構やばね１６、ストッパー部１７、スイッチ部１８、ストッパー部１９を備えたものであってもよい。また、実施の形態３で説明したものと同様に、第一の磁石２１、第二の磁石２２を備えたものであってもよい。
【００７０】
また、表示部２の背面に設けられたリンク機構は、第一のレール支持部１４と第二のレール支持部１５を介して巻き取り部３および引き出し部４に着脱可能に構成されていてもよいし、２組以上のレールからなるリンク機構になっていてもよい。さらに、リンク機構を構成する第一のレール１１、第二のレール１２は、第一のレール支持部１４によって端部を巻き取り部３および引き出し部４に回動自在に軸支され、第一のレール１１と第二のレール１２どうしも端部をレール交差部１３において回動自在に軸支される構成であってもよいし、表示部２を展開させた際に表示部２の両端を固定する固定レール２０を設ける構造であってもよい。また、表示部の展開に伴って第一のレール１１と第二のレール１２が伸張する構成となっていてもよい。これらの考え得る構成は実施の形態２の場合と同様である。
【００７１】
また、第一の磁石２１、第二の磁石２２の替わりに、いずれか一方のみが磁石、もう一方が強磁性体とすることも可能である。さらに、いずれか一方が電磁石であってもよいし、磁石以外の部品を用いてもよい点は実施の形態３の場合と同様である。
【００７２】
さらに、巻き取り部３および引き出し部４の両端に折り曲げ可能な屈曲部４１を備えた構成であってもよい。この場合、屈曲部４１が巻き取り部３の一方側端部にのみ備わっていてもよいし、引き出し部４の一方側端部にのみ備わっていてもよい点は実施の形態４の場合と同様である。
【００７３】
本実施の形態５では、表示部２が巻き取り部３の内部に巻き取り収納される例のみを挙げているが、巻き取り部３の構造については特に限定されるものではなく、巻き取り部３の軸に巻き付いて表示部２が巻き取り部３に巻き取られるのであればどのような手段であってもよい点は実施の形態２の場合と同様である。
【００７４】
さらに、巻き取り部３の内部に表示部２が巻き取り収納される場合、巻き取り部３の表示部２を巻き取る巻き取り口に埃よけのはけを設けてもよいし、中央部に切り込みを有するゴム製の蓋を設けてもよい点は実施の形態１の場合と同様である。
【００７５】
また、本実施の形態５では巻き取り部３および引き出し部４が円筒状である例を挙げているが、これらは巻き取り部３や引出し部４としての機能を果たし得る形状であれば円筒状に限定されるものではなく、巻き取り部３が角状であったり、引き出し部４が表示部２の下端中央にのみ存在するものであってもよい。
【００７６】
また、引き出し部４も、表示部２と同様に、巻き取り部３の内部に格納される構成とすることも可能であるし、スイッチ部１８は、巻き取り部３および引き出し部４の任意の位置に固定できる構成としてもよい。
【００７７】
また、本実施の形態５では、表示装置１が表示部２に有機ＥＬ素子を用いている有機ＥＬディスプレイである場合を例示しているが、これに限定されるものではない。
【００７８】
（実施の形態６）
図１２は本発明の実施の形態６における表示装置６０の構成を示した図であり、有機ＥＬ素子を用いた巻き取り可能なシート状の表示部２が円筒状の巻き取り部３の内部から引き出された状態を示したものである。巻き取り部３の両端にはスピーカー６１が取り付けられており、巻き取り部３とスピーカー６１の間には防振ゴム６２が取り付けられている。
【００７９】
このように、スピーカー６１駆動時の振動を防振ゴム６２が遮断する構成することで、表示部２を巻き取り、コンパクトに収納できる構成でありながら、表示部２を展開してもスピーカー６１からの振動に対して強い表示装置６０を提供することができる。
【００８０】
なお、本実施の形態６では、スピーカー６１からの振動を防止するために防振ゴム６２を設置したが、他にも、ばねや空気ばね、インシュレーター等、防振性を有する素材であれば何でもよい。
【００８１】
また、本実施の形態６においては、スピーカー６１および防振部６２が巻き取り部３の両端に備わっている場合を挙げたが、いずれか一方のみにスピーカー６１および防振部６２が備わってもよいし、巻き取り部３の中央部にスピーカー６１および防振部６２が備わっていてもよい。さらに、引き出し部４にスピーカー６１および防振部６２が備わっていてもよい。
【００８２】
なお、本実施の形態６においても、実施の形態２で説明したものと同様に、表示部２の背面に第一のレール１１、第二のレール１２からなる一組のリンク機構やばね１６、ストッパー部１７、スイッチ部１８、ストッパー部１９を備えたものであってもよい。また、実施の形態３で説明したものと同様に、第一の磁石２１、第二の磁石２２を備えたものであってもよい。
【００８３】
また、表示部２の背面に設けられたリンク機構は、第一のレール支持部１４と第二のレール支持部１５を介して巻き取り部３および引き出し部４に着脱可能に構成されていてもよいし、２組以上のレールからなるリンク機構になっていてもよい。さらに、リンク機構を構成する第一のレール１１、第二のレール１２は、第一のレール支持部１４によって端部を巻き取り部３および引き出し部４に回動自在に軸支され、第一のレール１１と第二のレール１２どうしも端部をレール交差部１３において回動自在に軸支される構成であってもよいし、表示部２を展開させた際に表示部２の両端を固定する固定レール２０を設ける構造であってもよい。また、表示部の展開に伴って第一のレール１１と第二のレール１２が伸張する構成となっていてもよい。これらの考え得る構成は実施の形態２の場合と同様である。
【００８４】
また、第一の磁石２１、第二の磁石２２の替わりに、いずれか一方のみが磁石、もう一方が強磁性体とすることも可能である。さらに、いずれか一方が電磁石であってもよいし、磁石以外の部品を用いてもよい点は実施の形態３の場合と同様である。
【００８５】
さらに、巻き取り部３および引き出し部４の両端に折り曲げ可能な屈曲部４１を備えた構成であってもよい。この場合、屈曲部４１が巻き取り部３の一方側端部にのみ備わっていてもよいし、引き出し部４の一方側端部にのみ備わっていてもよい点は実施の形態４の場合と同様である。
【００８６】
また、引き出し部４に、外部の固定物に取り付けられた係止片５２に係止するためのフック部５１を備えていてもよい。この場合、フック部５１と係止片５２の形状は特に限定されない点、実施の形態５の場合と同様である。
【００８７】
本実施の形態６では、表示部２が巻き取り部３の内部に巻き取り収納される例のみを挙げているが、巻き取り部３の構造については特に限定されるものではなく、巻き取り部３の軸に巻き付いて表示部２が巻き取り部３に巻き取られるのであればどのような手段であってもよい点は実施の形態２の場合と同様である。
【００８８】
さらに、巻き取り部３の内部に表示部２が巻き取り収納される場合、巻き取り部３の表示部２を巻き取る巻き取り口に埃よけのはけを設けてもよいし、中央部に切り込みを有するゴム製の蓋を設けてもよい点は実施の形態１の場合と同様である。
【００８９】
また、本実施の形態６では巻き取り部３および引き出し部４が円筒状である例を挙げているが、これらは巻き取り部３や引出し部４としての機能を果たし得る形状であれば円筒状に限定されるものではなく、巻き取り部３が角状であったり、引き出し部４が表示部２の下端中央にのみ存在するものであってもよい。
【００９０】
また、引き出し部４も、表示部２と同様に、巻き取り部３の内部に格納される構成とすることも可能であるし、スイッチ部１８は、巻き取り部３および引き出し部４の任意の位置に固定できる構成としてもよい。
【００９１】
また、本実施の形態６では、表示装置１が表示部２に有機ＥＬ素子を用いている有機ＥＬディスプレイである場合を例示しているが、これに限定されるものではない。
【００９２】
（実施の形態７）
図１３は本発明の実施の形態７における表示装置７０の構成を示した図であり、有機ＥＬ素子を用いた巻き取り可能なシート状の表示部２が円筒状の巻き取り部３の内部から引き出された状態を示したものである。図１３において、巻き取り部３の内部には表示部２に映像情報、スピーカー６１に音声情報を伝達するための映像音声回路７１と表示部２に映像を表示するために必要な電力を供給するための電力回路７２が備わっている。使用者は表示部２を引き出し、フック部５１を係止片５２に係止させて表示部２を固定させる。巻き取り部３、円筒状の引き出し部４、表示部２の背面でリンク機構を構成する一組のレールのうちの一方側である第二のレール１２の内部には、映像音声情報を映像音声回路７１に伝達する映像音声配線７３と、電力を電力回路７２に伝達する電力配線７４が内蔵されている。フック部５１および係止片５２は、映像音声情報および電源の接続端子になっており、フック部５１を係止片５２に係止することで外部のＤＶＤプレーヤーやアナログ・デジタル放送受信機等の映像音声情報再生手段７５、ＡＶアンプ７６およびＡＣコンセント７７と接続される。本実施の形態７におけるほかの構成要素および動作は実施の形態２、６の場合と同じであるため省略する。
【００９３】
映像音声情報再生手段７５から発信された映像音声情報は、ＡＶアンプ７６およびフック部５１、係止片５２、映像音声配線７３を経由して映像音声回路７１に届けられる。同様に、ＡＣコンセント７７から送電された交流電源は、フック部５１、係止片５２、電力配線７４を経由して電力回路７２に届けられる。
【００９４】
このように、映像音声情報および電力を映像音声回路７１および電力回路７２に届けるための配線をリンク機構の内部に収納することで配線が外部に露出せず、配線の保護を図ることができるとともに、収納時にも配線がかさばらない表示装置７０を実現することができる。また、フック部５１、係止片５２を接続端子とすることで接続端子を別途設ける必要がなくなり、表示装置７０を収納して持ち運ぶ際にも接続ケーブルを別途持参する必要がなくなる。したがって、表示部２を巻き取り、コンパクトに収納できる構成でありながら、表示部２を展開した場合は外部装置への接続が容易である、という設置容易な表示装置７０を提供することが可能になる。
【００９５】
本実施の形態７では、巻き取り部３の内部に映像音声回路７１と電力回路７２が備わっており、巻き取り部３、引き出し部４、第二のレール１２の内部に配線が内蔵されている例を示したが、この例に限られるものではない。例えば、引き出し部４の内部に映像音声回路７１と電力回路７２が備わっていてもよいし、巻き取り部３、引き出し部４に映像音声回路７１、電力回路７２のいずれかが備わっている構成であってもよい。また、第一のレール１３の内部にも配線が内蔵されている構成でもよいし、巻き取り部３、引き出し部４、第一のレール１１、第二のレール１２のいずれかまたは複数に配線が内蔵されている構成であってもよい。さらに、映像音声配線７３、電力配線７４は、巻き取り部３、引き出し部４、第一のレール１１、第二のレール１２の外周に、これらに沿って備わっている構成であってもよい。
【００９６】
また、本実施の形態７では、フック部５１、係止片５２を接続端子としたが、接続端子は、巻き取り部３、引き出し部４、第一のレール１１、第二のレール１２のいずれかまたは複数に設けられる構造としてもよい。
【００９７】
さらに、巻き取り部３および引き出し部４、第一のレール１１、第二のレール１２の周囲の一部または全体に磁気による影響を防止する磁気シールド、電磁波による影響を防止する電磁波シールドを設けてもよい。これにより、巻き取り部３、引き出し部４、第一のレール１１、第二のレール１２に配線を設けた場合に配線から生じる磁気または電磁波の影響で表示部２に表示される映像が乱れることを防止することができる。
【００９８】
なお磁気シールド、電磁波シールドは、表示部２の背面の一部または全体に設けてもよい。これにより、巻き取り部３、引き出し部４、第一のレール１１、第二のレール１２に配線を設けた場合であっても、これらによる磁気または電磁波が表示部２に影響を与えるのを防止することができる。表示部２の背面に磁気シールド、電磁波シールドを設けた場合、表示装置７０周辺に設置した他のＡＶ機器等からの磁気や電磁波の影響も防止することが可能になる。
【００９９】
なお、本実施の形態７では、第一のレール１１、第二のレール１２、ばね１６、ストッパー部１７、スイッチ部１８、スピーカー６１、防振ゴム６２を構成要素としている例を挙げたが、これらは必須ではなく、第一のレール１１、第二のレール１２ばね１６、ストッパー部１７、スイッチ部１８、スピーカー６１、防振ゴム６２がない場合であっても本発明の効果を得ることは可能である。
【０１００】
また、本実施の形態７においても、実施の形態３で説明したものと同様に、第一の磁石２１、第二の磁石２２を備えたものであってもよい。
【０１０１】
また、表示部２の背面に設けられたリンク機構は、第一のレール支持部１４と第二のレール支持部１５を介して巻き取り部３および引き出し部４に着脱可能に構成されていてもよいし、２組以上のレールからなるリンク機構になっていてもよい。さらに、リンク機構を構成する第一のレール１１、第二のレール１２は、第一のレール支持部１４によって端部を巻き取り部３および引き出し部４に回動自在に軸支され、第一のレール１１と第二のレール１２どうしも端部をレール交差部１３において回動自在に軸支される構成であってもよいし、表示部２を展開させた際に表示部２の両端を固定する固定レール２０を設ける構造であってもよい。また、表示部の展開に伴って第一のレール１１と第二のレール１２が伸張する構成となっていてもよい。これらの考え得る構成は実施の形態２の場合と同様である。
【０１０２】
また、第一の磁石２１、第二の磁石２２の替わりに、いずれか一方のみが磁石、もう一方が強磁性体とすることも可能である。さらに、いずれか一方が電磁石であってもよいし、磁石以外の部品を用いてもよい点は実施の形態３の場合と同様である。
【０１０３】
さらに、巻き取り部３および引き出し部４の両端に折り曲げ可能な屈曲部４１を備えた構成であってもよい。この場合、屈曲部４１が巻き取り部３の一方側端部にのみ備わっていてもよいし、引き出し部４の一方側端部にのみ備わっていてもよい点は実施の形態４の場合と同様である。
【０１０４】
また、引き出し部４に、外部の固定物に取り付けられた係止片５２に係止するためのフック部５１を備えていてもよい。この場合、フック部５１と係止片５２の形状は特に限定されない点、実施の形態５の場合と同様である。
【０１０５】
本実施の形態７では、表示部２が巻き取り部３の内部に巻き取り収納される例のみを挙げているが、巻き取り部３の構造については特に限定されるものではなく、巻き取り部３の軸に巻き付いて表示部２が巻き取り部３に巻き取られるのであればどのような手段であってもよい点は実施の形態２の場合と同様である。
【０１０６】
さらに、巻き取り部３の内部に表示部２が巻き取り収納される場合、巻き取り部３の表示部２を巻き取る巻き取り口に埃よけのはけを設けてもよいし、中央部に切り込みを有するゴム製の蓋を設けてもよい点は実施の形態１の場合と同様である。
【０１０７】
また、本実施の形態７では巻き取り部３および引き出し部４が円筒状である例を挙げているが、これらは巻き取り部３や引出し部４としての機能を果たし得る形状であれば円筒状に限定されるものではなく、巻き取り部３が角状であったり、引き出し部４が表示部２の下端中央にのみ存在するものであってもよい。
【０１０８】
また、引き出し部４も、表示部２と同様に、巻き取り部３の内部に格納される構成とすることも可能であるし、スイッチ部１８は、巻き取り部３および引き出し部４の任意の位置に固定できる構成としてもよい。
【０１０９】
また、本実施の形態６では、表示装置１が表示部２に有機ＥＬ素子を用いている有機ＥＬディスプレイである場合を例示しているが、これに限定されるものではない。
【０１１０】
（実施の形態８）
図１４〜図１６は、本発明の実施の形態８における表示装置８０を示した外観図である。
【０１１１】
図１４〜図１６では、有機ＥＬ素子を用いた巻き取り可能なシート状の表示部２が巻き取り部３の内部から引き出された状態を示している。巻き取り部３の両端にはスピーカー６１と防振ゴム６２が取り付けられている。さらに、巻き取り部３には、巻き取り部３の上下左右の方向を検知し、表示部２に表示される画像の上下左右方向を制御する画像制御装置８１が設けられている。
【０１１２】
このように、画像制御装置８１を設けることで、表示装置８０を上下左右いずれの方向に設置しても、常に表示部２には正規の方向で画像を表示することが可能となる。これにより、使用者には、コンパクトな収納と持ち運びの便に優れ、かつ、設置も容易な表示装置を提供することができる。
【０１１３】
図１７に示すように、表示部２はＬＣＤやＰＤＰと同様に、複数の小さなアレイ素子８２から構成されており、それぞれのアレイ素子８２に映像信号をデジタル信号として与えることで、画面を表示することができる。従って、アレイ素子８２に与えるデジタル映像信号の順序を変えるだけで、画面の上下、左右を変更することは可能である。なお、図１７は表示部２の構成を示した概念図であって、アレイ素子８２は図１７に記載の個数に限られるものではない。
【０１１４】
図１８は、画像制御装置８１の回路構成を示したブロック図である。図１６において、上下左右検知部８３は、表示装置８０の設置されている方向を検知し、上下左右に関する情報を方向制御部８４へ伝達する。方向制御部８４は、上下左右検知部８３からの上下左右に関する情報に基づいて映像を表示する方向を決定し、方向指示情報を映像表示制御部８５へ伝達する。映像表示制御部８５は、方向制御部８４からの方向指示情報に従い、チューナ部８６から受信した映像情報を表示装置２のアレイ素子８２に伝達する。これにより、表示装置２内の複数のアレイ素子８２に常に使用者の視る向きと一致した映像を映し出すことが可能となる。
【０１１５】
上下左右検知部８３の一例として、重力センサーや圧力センサーなどがある。
【０１１６】
本実施の形態８では、表示装置８０の上下左右方向を上下左右検知部８３が自動的に検知し、これに基づいて映像表示制御部８５が表示部２に表示される画像の上下左右方向を制御する例を挙げたが、使用者が上下左右の方向を自由に設定できる構成としてもよい。この場合、上下左右検知部８３に替わり、上下左右入力部８６が使用者からの上下左右に関する指示を受け付け、上下左右入力部８６が受け付けた上下左右に関する情報は方向制御部８４へ伝達される。上下左右入力部８６は、例えば、表示装置８０の外部に設けられたリモコン等であってもよい。
【０１１７】
なお、本実施の形態８では、表示装置８０がスピーカー６１、防振部６２を設けた例を挙げたが、これらはなくてもよい。
【０１１８】
また、本実施の形態８においても、実施の形態２で説明したものと同様に、表示部２の背面に第一のレール１１、第二のレール１２からなる一組のリンク機構やばね１６、ストッパー部１７、スイッチ部１８、ストッパー部１９を備えたものであってもよい。また、実施の形態３で説明したものと同様に、第一の磁石２１、第二の磁石２２を備えたものであってもよい。
【０１１９】
この場合、表示部２の背面に設けられたリンク機構は、第一のレール支持部１４と第二のレール支持部１５を介して巻き取り部３および引き出し部４に着脱可能に構成されていてもよいし、２組以上のレールからなるリンク機構になっていてもよい。さらに、リンク機構を構成する第一のレール１１、第二のレール１２は、第一のレール支持部１４によって端部を巻き取り部３および引き出し部４に回動自在に軸支され、第一のレール１１と第二のレール１２どうしも端部をレール交差部１３において回動自在に軸支される構成であってもよいし、表示部２を展開させた際に表示部２の両端を固定する固定レール２０を設ける構造であってもよい。また、表示部の展開に伴って第一のレール１１と第二のレール１２が伸張する構成となっていてもよい。これらの考え得る構成は実施の形態２の場合と同様である。
【０１２０】
また、第一の磁石２１、第二の磁石２２の替わりに、いずれか一方のみが磁石、もう一方が強磁性体とすることも可能である。さらに、いずれか一方が電磁石であってもよいし、磁石以外の部品を用いてもよい点は実施の形態３の場合と同様である。
【０１２１】
さらに、巻き取り部３および引き出し部４の両端に折り曲げ可能な屈曲部４１を備えた構成であってもよい。この場合、屈曲部４１が巻き取り部３の一方側端部にのみ備わっていてもよいし、引き出し部４の一方側端部にのみ備わっていてもよい点は実施の形態４の場合と同様である。
【０１２２】
また、引き出し部４に、外部の固定物に取り付けられた係止片５２に係止するためのフック部５１を備えていてもよい。この場合、フック部５１と係止片５２の形状は特に限定されない点、実施の形態５の場合と同様である。
【０１２３】
さらに、巻き取り部３、引き出し部４、第一のレール１１、第二のレール１２、フック部５１に映像音声回路７１、電力回路７２、映像音声配線７３、電力配線７４が備わっていてもよい。また、表示部２の背面の一部または全体、巻き取り部３および引き出し部４、第一のレール１１、第二のレール１２の周囲の一部または全体に磁気による影響を防止する磁気シールド、電磁波による影響を防止する電磁波シールドを設けてもよい。これら、本実施の形態８におけるほかの実施の態様については、実施の形態７と同様である。
【０１２４】
本実施の形態８では、表示部２が巻き取り部３の内部に巻き取り収納される例のみを挙げているが、巻き取り部３の構造については特に限定されるものではなく、巻き取り部３の軸に巻き付いて表示部２が巻き取り部３に巻き取られるのであればどのような手段であってもよい点は実施の形態２の場合と同様である。
【０１２５】
さらに、巻き取り部３の内部に表示部２が巻き取り収納される場合、巻き取り部３の表示部２を巻き取る巻き取り口に埃よけのはけを設けてもよいし、中央部に切り込みを有するゴム製の蓋を設けてもよい点は実施の形態１の場合と同様である。
【０１２６】
また、本実施の形態８では巻き取り部３および引き出し部４が円筒状である例を挙げているが、これらは巻き取り部３や引出し部４としての機能を果たし得る形状であれば円筒状に限定されるものではなく、巻き取り部３が角状であったり、引き出し部４が表示部２の下端中央にのみ存在するものであってもよい。
【０１２７】
また、引き出し部４も、表示部２と同様に、巻き取り部３の内部に格納される構成とすることも可能であるし、スイッチ部１８は、巻き取り部３および引き出し部４の任意の位置に固定できる構成としてもよい。
【０１２８】
また、本実施の形態８では、表示装置１が表示部２に有機ＥＬ素子を用いている有機ＥＬディスプレイである場合を例示しているが、これに限定されるものではない。
【産業上の利用可能性】
【０１２９】
本発明にかかる表示装置は、有機ＥＬ素子を用いたシート状の表示装置のコンパクトな収納を可能とし、持ち運びの困難性を解消することが可能とするものである。また、風等による振動を軽減するとともに、表示装置の設置時のたわみを防止することで上下左右いずれの方向であっても設置しやすい表示装置を提供するものであって、表示装置の分野において有用である。
【図面の簡単な説明】
【０１３０】
【図１】本発明の実施の形態１における表示装置の構成図
【図２】本発明の実施の形態１における表示装置の構成図
【図３】本発明の実施の形態２における表示装置の構成を示した背面図
【図４】本発明の実施の形態２における表示装置の構成を示した背面図
【図５】本発明の実施の形態２における表示装置の別の構成を示した背面図
【図６】本発明の実施の形態２における表示装置の別の構成を示した背面図
【図７】本発明の実施の形態２における表示装置の別の構成を示した背面図
【図８】本発明の実施の形態２における表示装置の別の構成を示した背面図
【図９】本発明の実施の形態３における表示装置の構成を示した背面図
【図１０】本発明の実施の形態４における表示装置の構成を示した背面図
【図１１】本発明の実施の形態４における表示装置の構成を示した背面図
【図１２】本発明の実施の形態６における表示装置の構成を示した図
【図１３】本発明の実施の形態６における表示装置の構成を示した図
【図１４】本発明の実施の形態８における表示装置を示した外観図
【図１５】本発明の実施の形態８における表示装置を示した外観図
【図１６】本発明の実施の形態８における表示装置を示した外観図
【図１７】本発明の実施の形態８における表示装置の表示部を示した概念図
【図１８】本発明の実施の形態８における画像制御装置の回路構成を示したブロック図
【符号の説明】
【０１３１】
１    表示装置
２    表示部
３    巻き取り部
４    引き出し部
１０    表示装置
１１    第一のレール
１２    第二のレール
１３    レール交差部
１４    第一のレール支持部
１５    第二のレール支持部
１６    ばね
１７    ストッパー部
１８    スイッチ部
１９    ストッパー部
２０    固定レール
２１    回転部
２２    係止部
２３    係止部
３０    表示装置
３１    第一の磁石
３２    第二の磁石
４０    表示装置
４１    屈曲部
５０    表示装置
５１    フック部
５２    係止片
６０    表示装置
６１    スピーカー
６２    防振ゴム
７０    表示装置
７１    映像音声回路
７２    電力回路
７３    映像音声配線
７４    電力配線
７５    映像音声情報再生手段
７６    ＡＶアンプ
７７    ＡＣコンセント
８０    表示装置
８１    画像制御装置
８２    アレイ素子
８３    上下左右検知部
８４    方向制御部
８５    映像表示制御部
８６    上下左右入力部
【図１】
2005249828.tif 000003
【図２】
2005249828.tif 000004
【図３】
2005249828.tif 000005
【図４】
2005249828.tif 000006
【図５】
2005249828.tif 000007
【図６】
2005249828.tif 000008
【図７】
2005249828.tif 000009
【図８】
2005249828.tif 000010
【図９】
2005249828.tif 000011
【図１０】
2005249828.tif 000012
【図１１】
2005249828.tif 000013
【図１２】
2005249828.tif 000014
【図１３】
2005249828.tif 000015
【図１４】
2005249828.tif 000016
【図１５】
2005249828.tif 000017
【図１６】
2005249828.tif 000018
【図１７】
2005249828.tif 000019
【図１８】
2005249828.tif 000020